(57)【要約】【課題】  集中力の増強、精神の安定化、いらいら感の除去等の効果を有する低放射性のマイナスイオン発生シートを精神集中を要するスポーツおよび勉学において有効に活用可能とする。【解決手段】  使用時に額に面することとなるスポーツ帽１０またはバンダナの一部分に低放射性のマイナスイオン発生シート１５を付設する。低放射性のマイナスイオン発生シート１５は、軟質樹脂ベースに、身体に無害な低線量の放射線を発生する物質としての放射性希土類元素含有鉱物およびマイナスイオンを発生する物質としての珪素系のセラミックスを練り込んでシート状に成形してなる。【選択図】  図１
0003108664.tif 000002
【実用新案登録請求の範囲】
【請求項１】
頭部を覆う半球形に立体縫製するキャップ部と、該キャップ部から前方に向けて突設する日除け鍔と、前記キャップ部の開口円部に沿ってキャップ部を裏打ちする汗取り帯体と、該汗取り帯体と前記キャップ部との間に前記日除け鍔に沿って介装する低放射性のマイナスイオン発生シートとからなり、
前記低放射性のマイナスイオン発生シートは、軟質樹脂ベースに、マイナスイオン発生物質としての珪素系のセラミックスと放射線発生物質としての放射性希土類元素含有鉱物を練り込んで成形されていることを特徴とするスポーツ帽。
【請求項２】
前記低放射性のマイナスイオン発生シートにおける前記珪素系のセラミックスがシリカの高温焼成微粉末であり、前記放射性希土類元素含有鉱物がモナザイト鉱石の微粉末であることを特徴とする請求項１に記載のスポーツ帽。
【請求項３】
表地と裏地との間に低放射性のマイナスイオン発生シートを介在させて縫合し、全体を所定幅の帯状に形成してなり、
前記低放射性のマイナスイオン発生シートは、軟質樹脂ベースに、マイナスイオン発生物質としての珪素系のセラミックスと放射線発生物質としての放射性希土類元素含有鉱物を練り込んで成形されていることを特徴とするバンダナ。
【請求項４】
前記低放射性のマイナスイオン発生シートにおける前記珪素系のセラミックスがシリカの高温焼成微粉末であり、前記放射性希土類元素含有鉱物がモナザイト鉱石の微粉末であることを特徴とする請求項３に記載のバンダナ。
【考案の詳細な説明】
【技術分野】
【０００１】
本考案は、ゴルフやボーリング、和洋弓や射撃等の高度の精神的集中力を要求されるスポーツおよび難度の高い事務や勉学等に際して、低放射性のマイナスイオン発生シートを帽子またははちまきの形態で使用することによって、集中力増強効果、精神安定効果、いらいら感除去効果、心身爽快効果、リラックス効果等を享受することができるように工夫したスポーツ帽およびバンダナに関する。
【背景技術】
【０００２】
事後的に修正することができない身体の一挙動の積み重ねによる得点を競うようなスポーツ、例えば、ゴルフやボーリング、和洋弓や射撃等においては、その一スイングや一投に高度の精神集中が求められる。集中力の欠如やいらいら感は、即座に成績不良として数字的に現れる。また、難度の高い事務や勉学等に際しての精神集中状況の良し悪しは、時間当たりの成果の有無または良し悪しとして客観的に現れる。
【０００３】
したがって、試合や勉学に際しての精神状態を自己コントロールすることは、スポーツや勉学における達成課題の一つとなっている。必勝のはちまきをして勉学に励む際のはちまきは、本人がはちまきという象徴的小道具を利用して集中力を高めている姿勢であると言える。
【考案の開示】
【考案が解決しようとする課題】
【０００４】
スポーツや勉学に際しての薬物の使用は、スポーツ精神に悖る他、薬物依存性の傾向を生じるという心身障害のおそれがあるが、通常のスポーツ用品や用具の工夫の範囲に属する小道具は、本人の努力の外部的顕れと見るほうが妥当であり、社会的にも許容されている。
【０００５】
本考案は、本願の出願人らの先の特許出願に係る低放射性のマイナスイオン発生材（特願２００４−００９９８１号）の物理的な特性がスポーツ時や勉学時に必要とされる集中力の増強、精神の安定化、いらいら感の除去等に極めて好適であることに着目し、この組成物をスポーツや勉学時において通常使用されることの多いスポーツ帽およびバンダナに応用することによって、この組成物の有する上記特性をスポーツ時や勉学時において有効に活用可能とすることを目的とするものである。
【０００６】
なお、本願の出願人らの先願に係るこの組成物は、低線量の放射線、遠赤外線およびマイナスイオンを発生する機能を有する。放射線に関しては、人体に害を及ぼさない程度の微弱な放射線を浴びることが、放射線ホルミシス効果として、細胞レベルから人体の代謝作用を活性化し、自然治癒力等を向上させるという研究に基づくものであり、さらに、放射線との相乗効果を図るべく、既に精神状態の安定等の各種の快適効果を奏することで知られているところのマイナスイオンを併せて使用するものである。
【課題を解決するための手段】
【０００７】
この目的を達成するための手段として、本考案は、次のような構成を採用する。
【０００８】
本考案に係るスポーツ帽は、頭部を覆う半球形に立体縫製するキャップ部と、キャップ部から前方に向けて突設する日除け鍔と、キャップ部の開口円部に沿ってキャップ部を裏打ちする汗取り帯体と、汗取り帯体とキャップ部との間に日除け鍔に沿って介装する低放射性のマイナスイオン発生シートとからなり、この際の低放射性のマイナスイオン発生シートは、軟質樹脂ベースに、マイナスイオン発生物質としての珪素系のセラミックスと放射線発生物質としての放射性希土類元素含有鉱物を練り込んで成形されていることを特徴とする。
【０００９】
上記構成に係るスポーツ帽は、低放射性のマイナスイオン発生シートを除く基本的な部分が通常のスポーツ帽と同様の構成であり、したがって、通常のスポーツ帽として広汎なスポーツ用途に使用することができる。そして、スポーツ帽の使用に際しては、日除け鍔に沿って汗取り帯体とキャップ部との間に介装した低放射性のマイナスイオン発生シートが、丁度使用者の額に面する位置に位置決めされることとなる。低放射性のマイナスイオン発生シートは、軟質樹脂ベースにマイナスイオン発生物質としての珪素系のセラミックスと放射線発生物質としての放射性希土類元素含有鉱物を練り込んで成形されており、したがって、使用者の額に面する位置において、適度な線量の放射線とマイナスイオンを継続して発生させる。この結果、スポーツ帽の使用者は、放射線による放射線ホルミシス効果とマイナスイオンによるマイナスイオン効果によって、安定した精神状態でスポーツに集中することができる。
【００１０】
なお、低放射性のマイナスイオン発生シートにおける珪素系のセラミックスには、シリカの高温焼成微粉末を採用することができ、また、放射性希土類元素含有鉱物には、モナザイト鉱石の微粉末を採用することができる。
【００１１】
シリカの高温焼成微粉末は、低放射性のマイナスイオン発生シートに含まれる珪素系のセラミックスとして使用することができる物質の好適な例を示し、モナザイト鉱石の微粉末は、同じく放射性希土類元素含有鉱物として使用することができる物質の好適な例を示している。これらの物質は、それぞれ、マイナスイオンを効率よく発生する物質として市販に供され、また、適度な放射線を発生する物質としてよく知られている。
【００１２】
また、本考案に係るバンダナは、表地と裏地との間に低放射性のマイナスイオン発生シートを介在させて縫合し、全体を所定幅の帯状に形成してなり、そして、低放射性のマイナスイオン発生シートは、軟質樹脂ベースに、マイナスイオン発生物質としての珪素系のセラミックスと放射線発生物質としての放射性希土類元素含有鉱物を練り込んで成形されていることを特徴とする。
【００１３】
表地と裏地との間に介在する低放射性のマイナスイオン発生シートは、バンダナを使用した際に額に面する位置において、低線量の放射線とマイナスイオンとを持続的に発生し、使用者に放射線ホルミシス効果およびマイナスイオン効果を及ぼすことにより、上記スポーツ帽におけると同様に、スポーツや勉学に際しての集中力増強等の作用を発揮することができる。
【００１４】
なお、バンダナに使用する低放射性のマイナスイオン発生シートに関しても、珪素系のセラミックスとしてのシリカの高温焼成微粉末と、放射性希土類元素含有鉱物としてのモナザイト鉱石の微粉末を好適な物質の例として挙げることができる。
【考案の効果】
【００１５】
本考案に係るスポーツ帽およびバンダナは、帽子またははちまきの形態で正常に使用したときにおいて、使用者の額に面して、低放射性のマイナスイオン発生シートから発生する低線量の放射線とマイナスイオンとによる集中力の増強、精神の安定化、いらいら感の除去等の作用を及ぼすことができるので、スポーツにおける成績向上や勉学能率の向上に寄与することができるという効果を奏する。
【考案を実施するための最良の形態】
【００１６】
以下、図面を引用しながら本考案に係るスポーツ帽およびバンダナの実施の形態を説明する。
【００１７】
スポーツ帽１０は、頭に被せたときに頭部を覆うサイズの半球形に立体縫製したキャップ部１１Ａと、キャップ部１１Ａから前方に向けて突設する日除け鍔１１Ｂと、低放射性のマイナスイオン発生シート１５を主要部としてなる（図１）。
【００１８】
キャップ部１１Ａおよび日除け鍔１１Ｂは、布製である。キャップ部１１Ａは、外側に膨らみを付けた３曲線によって形成される略２等辺三角形の４枚の素材布１１，１１…を立体縫製することによって半球形に形成されている。したがって、キャップ部１１Ａの下側は、頭部を受け入れるための開口円部１０Ｈとなっている。この開口円部１０Ｈの開口端縁部分１３は、巻き込み縫製による縁縫い処理がされている。
【００１９】
キャップ部１１Ａの背後側には、頭部のサイズに合わせて開口円部１０Ｈの周囲長を調節するための切欠き開口１４が形成されている（図２）。切欠き開口１４の一方側には、アジャストバンド１６が取り付けられ、また、切欠き開口１４を跨いだ他方側には、アジャストバンド１６をロックする樹脂製の掛止部品１７が取り付けられている。
【００２０】
日除け鍔１１Ｂは、袋縫いした表裏一対の表面布地Ｂ２，Ｂ２の間に樹脂製または耐水加工したパルプ製の芯材Ｂ１を挿入し、さらに重ね縫いすることによってその形状を維持することができるように仕上げられている（図１，図４）。日除け鍔１１Ｂの表面布地Ｂ２，Ｂ２は、芯材Ｂ１を挿入したときに縫い込み用の余剰幅を生じる寸法に設定されており、日除け鍔１１Ｂは、表面布地Ｂ２，Ｂ２の余剰幅部分をキャップ部１１Ａの内側に重ねて縫い付けられている（図４）。
【００２１】
キャップ部１１Ａの内側には、その開口円部１０Ｈに沿って一定幅の汗取り帯体１２が切欠き開口１４の部分を除く全周にわたって取り付けられている（図１，図２，図４）。この汗取り帯体１２は、下端縁部分のみがキャップ部１１Ａに縫い付けられ、上端縁側は開放されている。すなわち、汗取り帯体１２は、幅がひろくて浅いポケットの状態である。
【００２２】
低放射性のマイナスイオン発生シート１５は、ポケット状態の汗取り帯体１２内に日除け鍔１１Ｂに面して２個挿入されている。したがって、低放射性のマイナスイオン発生シート１５は、汗取り帯体１２に沿ってスライドさせることによって、簡単に位置決めし直すことができる。なお、２個の低放射性のマイナスイオン発生シート１５，１５は、スポーツ帽１０を着用したときに略こめかみ位置にくるように設定されている。低放射性のマイナスイオン発生シート１５は、任意の形状のものとして製造することができるが、本実施の形態においては、直径２センチメートル程度、厚み２ミリメートル程度の円板形のものを採用している。
【００２３】
この低放射性のマイナスイオン発生シート１５は、軟質樹脂ベースに、マイナスイオン発生物質としての珪素系のセラミックスと放射線発生物質としての放射性希土類元素含有鉱物を練り込んで成形されている。この際の軟質樹脂ベースには、ポリエチレンが採用され、珪素系のセラミックスには、シリカの高温焼成微粉末が用いられ、また、放射性希土類元素含有鉱物には、モナザイト鉱石の微粉末が用いられている。
【００２４】
珪素系のセラミックスと放射性希土類元素含有鉱物の割合は、珪素系のセラミックス１００重量部に対して放射性希土類元素含有鉱物１０〜３０重量部の割合である。この割合は、珪素系のセラミックスから発生するマイナスイオンと放射性希土類元素含有鉱物から発生する放射線のバランスを配慮した結果の好ましい範囲を示し、この割合に限定する趣旨の数値ではない。また、このような割合で混合された両者と樹脂ベースであるポリエチレンの割合は、ポリエチレン１００重量部に対して２０〜３０重量部の割合に設定されている。この割合は、軟質に仕上げたポリエチレンがその軟質性を喪失しない程度のものとして設定されたものであり、樹脂ベースに他の樹脂を使用する際には、その樹脂に適する配合割合とすることができる。なお、珪素系のセラミックスには、市販に供されているセライオン粉末（ライアップ社製）やカイヤセラー粉末（日本化薬製）をそのまま利用することが便宜である。また、放射性希土類元素含有鉱物は、鉱石名および所望の粒度を指示することによって微粉末に調製してもらえば足りる。
【００２５】
このようなスポーツ帽１０は、汎用の形態であるので、特に高度の精神的集中力を要求されるスポーツに幅広く利用し、低放射性のマイナスイオン発生シート１５から発生する適度な線量の放射線およびマイナスイオンによる集中力増強効果、精神安定効果、いらいら感除去効果、心身爽快効果、リラックス効果等を享受することができる。
【００２６】
次いで、本校案に係るバンダナ２０の実施の形態について説明する（図５，図６）。なお、バンダナ２０と上記スポーツ帽１０とは、低放射性のマイナスイオン発生シート１５を装着する対象であるスポーツ用品としてスポーツ帽１０とバンダナ２０の違いがあるのみであり、考案の目的、課題、用途、作用、効果等は共通である。したがって、バンダナ２０については、主に、低放射性のマイナスイオン発生シート１５の装着する方法や位置について説明する。
【００２７】
バンダナ２０は、表地２１と裏地２２との間に低放射性のマイナスイオン発生シート１５，１５を介在させて縫合することによって所定幅の帯状に形成されている。表地２１には、腰の強い形状維持性に優れた装飾布が用いられ、裏地には、軟質の通気性に優れた布地が用いられる。ただし、バンダナ２０の両端部には、結わえる操作に好都合であるように変形性に優れる端布２３，２３が接続されている。また、バンダナ２０は、端布に代えて面ファスナを使用するように構成することもできる。
【００２８】
表地２１および裏地２２は、いずれも幅方向の側縁部を内側に織り込む縁処理１Ａ，２Ａを施した上、重ね合せ縫合することによって一体化される。一対の低放射性のマイナスイオン発生シート１５，１５は、この際に両者間に縫い込まれる。一対の低放射性のマイナスイオン発生シート１５，１５の位置は、バンダナ２０を使用したときに額Ｆ１に面する位置であって、こめかみに対応する位置に来るように調節される（図６）。なお、帯状に長く形成した低放射性のマイナスイオン発生シート１５を用いる場合は、その全体が額Ｆ１に面するように位置決めすればよい。
【００２９】
以上、スポーツ帽１０とバンダナ２０について説明したが、女子に多用されるスポーツ用品として日除けキャップと称するスポーツ帽１０とバンダナ２０の中間形態の用品が存在する。この日除けキャップは、形態上、バンダナ２０に日除け鍔１１Ｂを取り付けたもの、あるいは、スポーツ帽１０のキャップ部１１Ａの大部分を省略したものと言える形態を有するものであるが、このものは、本考案に係るスポーツ帽１０またはバンダナ２０との関係においては、そのいずれかに含まれるものとする。
【図面の簡単な説明】
【００３０】
【図１】スポーツ帽の実施の形態を示す斜視図である。
【図２】スポーツ帽の実施の形態を示す背面図である。
【図３】低放射性のマイナスイオン発生シートの実施の形態を示す斜視図である。
【図４】スポーツ帽の実施の形態を示す要部の断面図である。
【図５】バンダナの実施の形態を一部を破断して示す斜視図である。
【図６】バンダナの使用状態を示す斜視図である。
【符号の説明】
【００３１】
１０      スポーツ帽
１０Ｈ    開口円部
１１Ａ    キャップ部
１１Ｂ    日除け鍔
１２      汗取り帯体
１５      低放射性のマイナスイオン発生シート
２０      バンダナ
２１      表地
２２      裏地
【図１】
0003108664.tif 000003
【図２】
0003108664.tif 000004
【図３】
0003108664.tif 000005
【図４】
0003108664.tif 000006
【図５】
0003108664.tif 000007
【図６】
0003108664.tif 000008